(57)【要約】【課題】貯湯槽内の湯が利用されずに貯湯槽内に残ることを防止するための技術を提供する。【解決手段】給湯システムは、給水経路から分岐して、第２熱源ユニットの流入口に接続される流入経路と、第２熱源ユニットの流出口から延びて、給湯経路に接続される第１接続経路と、第１接続経路と給湯経路との接続点に設けられている混合弁と、を備える。給湯システムの状態は、給水経路から流入経路への給水を許容せずに、給水経路から貯湯槽への給水を許容する第１状態と、給水経路から流入経路への給水と給水経路から貯湯槽への給水の双方を許容する第２状態と、給水経路から流入経路への給水を許容し、かつ、給水経路から貯湯槽への給水を許容しない第３状態と、に変更可能である。【選択図】図１
2020115051.tif 000002
【特許請求の範囲】
【請求項１】
貯湯ユニットと、第１熱源ユニットと、第２熱源ユニットと、を備える給湯システムであって、
前記貯湯ユニットは、
水を蓄える貯湯槽と、
前記貯湯槽の下部に接続された給水経路と、
前記貯湯槽の上部に接続された給湯経路と、
を備え、
前記第１熱源ユニットは、前記貯湯槽の下部から送り出される水を加熱し、加熱された水を前記貯湯槽の上部から前記貯湯槽内に送り出し、
前記第２熱源ユニットは、前記給水経路から送り出される水を加熱し、加熱された水を前記給湯経路に送り出し、
前記給湯システムは、さらに、
前記給水経路から分岐して、前記第２熱源ユニットの流入口に接続される流入経路と、
前記第２熱源ユニットの流出口から延びて、前記給湯経路に接続される第１接続経路と、
前記第１接続経路と前記給湯経路との接続点に設けられている混合弁と、
を備え、
前記給湯システムの状態は、
前記給水経路から前記流入経路への給水を許容せずに、前記給水経路から前記貯湯槽への給水を許容する第１状態と、
前記給水経路から前記流入経路への給水と前記給水経路から前記貯湯槽への給水の双方を許容する第２状態と、
前記給水経路から前記流入経路への給水を許容し、かつ、前記給水経路から前記貯湯槽への給水を許容しない第３状態と、
を含む複数個の状態のうちのいずれかに変更可能であり、
前記給湯システムは、
前記給湯システムの状態が前記第１状態である場合に、前記給水経路から前記貯湯槽に水を供給して、前記貯湯槽の上部の水を前記給湯経路に供給し、
前記給湯システムの状態が前記第２状態である場合に、前記給水経路から前記貯湯槽と前記流入経路とに水を供給して、前記混合弁の弁開度を調整して、前記貯湯槽の上部の水と前記第１接続経路内の水とを混合して前記給湯経路に供給し、
前記給湯システムの状態が前記第３状態である場合に、前記給水経路から、前記流入経路と前記第１接続経路を介して、前記接続点より下流側の前記給湯経路に水を供給することが可能である、給湯システム。
【請求項２】
前記貯湯槽の上部の水の温度を計測するための温度センサをさらに備え、
前記給湯システムは、
前記給湯システムの状態が前記第１状態である場合において、前記温度センサが第１温度以下の温度を検出する場合に、前記給湯システムの状態を前記第１状態から前記第２状態に変更する、請求項１に記載の給湯システム。
【請求項３】
前記給湯システムは、
前記給湯システムの状態が前記第２状態である場合において、前記温度センサが前記第１温度より低い第２温度以下の温度を検出する場合に、前記給湯システムの状態を前記第２状態から前記第３状態に変更する、請求項２に記載の給湯システム。
【請求項４】
前記給水経路と前記流入経路との分岐点よりも下流側の前記給水経路から分岐して、前記第１接続経路に接続される第２接続経路と、
前記第２接続経路に設けられている開閉弁と、
をさらに備え、
前記給湯システムは、
前記給湯システムの状態が前記第１状態である場合に、前記開閉弁を開状態にし、前記給水経路から前記貯湯槽と前記第２接続経路とに水を供給して、前記混合弁の弁開度を調整して、前記貯湯槽の上部の水と前記第２接続経路から前記第１接続経路に供給される水とを混合して前記給湯経路に供給し、
前記給湯システムの状態が前記第２状態である場合に、前記開閉弁を閉状態にし、前記給水経路から前記貯湯槽と前記流入経路とに水を供給して、前記混合弁の弁開度を調整して、前記貯湯槽の上部の水と前記第１接続経路内の水とを混合して前記給湯経路に供給する、請求項１から３のいずれか一項に記載の給湯システム。
【発明の詳細な説明】
【技術分野】
【０００１】
本明細書で開示する技術は、給湯システムに関する。
【背景技術】
【０００２】
特許文献１に開示されている給湯システムは、貯湯タンクと、ヒートポンプを有する主給湯器と、主給湯器とは異なる加熱源を有する補助給湯器と、を備える。補助給湯器は、貯湯タンクの底部に水を供給する給水配管と貯湯タンクの頂部に接続されている送湯配管との間に接続されている。送湯配管の先端には、浴室内の給湯栓が接続されている。給湯システムは、給水配管から貯湯タンクの底部に水を供給して、貯湯タンク内の湯を送湯配管及び給湯栓に供給する状態と、給水配管から補助給湯器に水を供給して、補助給湯器によって加熱された水を送湯配管及び給湯栓に供給する状態と、に切替可能である。給湯システムは、貯湯タンクの湯量が低下する場合に、貯湯タンクの水を供給する状態から補助給湯器によって加熱された水を供給する状態に切り替える。
【先行技術文献】
【特許文献】
【０００３】
【特許文献１】特開２０１１−１４９６８２号公報
【発明の概要】
【発明が解決しようとする課題】
【０００４】
貯湯タンクの湯量が低下する場合であっても、貯湯タンク内には、給水配管から供給される水よりも高温の湯が存在し得る。補助給湯器によって加熱された水を供給する状態に切り替えられると、貯湯タンク内の湯が給湯栓に供給されないまま貯湯タンク内に残る。この場合、貯湯タンク内の湯は利用されないまま自然放熱してしまい、エネルギー効率の低下を招いてしまう。
【０００５】
本明細書は、貯湯槽内の湯が利用されずに貯湯槽内に残ることを防止するための技術を提供する。
【課題を解決するための手段】
【０００６】
本明細書が開示する給湯システムは、貯湯ユニットと、第１熱源ユニットと、第２熱源ユニットと、を備え、前記貯湯ユニットは、水を蓄える貯湯槽と、前記貯湯槽の下部に接続された給水経路と、前記貯湯槽の上部に接続された給湯経路と、を備え、前記第１熱源ユニットは、前記貯湯槽の下部から送り出される水を加熱し、加熱された水を前記貯湯槽の上部から前記貯湯槽内に送り出し、前記第２熱源ユニットは、前記給水経路から送り出される水を加熱し、加熱された水を前記給湯経路に送り出し、前記給湯システムは、さらに、前記給水経路から分岐して、前記第２熱源ユニットの流入口に接続される流入経路と、前記第２熱源ユニットの流出口から延びて、前記給湯経路に接続される第１接続経路と、前記第１接続経路と前記給湯経路との接続点に設けられている混合弁と、を備え、前記給湯システムの状態は、前記給水経路から前記流入経路への給水を許容せずに、前記給水経路から前記貯湯槽への給水を許容する第１状態と、前記給水経路から前記流入経路への給水と前記給水経路から前記貯湯槽への給水の双方を許容する第２状態と、前記給水経路から前記流入経路への給水を許容し、かつ、前記給水経路から前記貯湯槽への給水を許容しない第３状態と、を含む複数個の状態のうちのいずれかに変更可能であり、前記給湯システムは、前記給湯システムの状態が前記第１状態である場合に、前記給水経路から前記貯湯槽に水を供給して、前記貯湯槽の上部の水を前記給湯経路に供給し、前記給湯システムの状態が前記第２状態である場合に、前記給水経路から前記貯湯槽と前記流入経路とに水を供給して、前記混合弁の弁開度を調整して、前記貯湯槽の上部の水と前記第１接続経路内の水とを混合して前記給湯経路に供給し、前記給湯システムの状態が前記第３状態である場合に、前記給水経路から、前記流入経路と前記第１接続経路を介して、前記接続点より下流側の前記給湯経路に水を供給することが可能である。
【０００７】
上記の構成によれば、給湯システムは、給水経路から貯湯槽に水を供給して、貯湯槽の上部の水を給湯経路に供給する第１状態と、給水経路、第２熱源ユニット、及び、第１接続経路を介して、給湯経路に水を供給する第３状態と、に変更可能である。さらに、給湯システムは、給水経路から貯湯槽と流入経路とに水を供給して、混合弁の弁開度を調整して、貯湯槽の上部の水と第１接続経路内の水（即ち第２熱源ユニットによって加熱された水）とを混合して給湯経路に供給する第２の状態にも、変更可能である。このため、例えば、貯湯槽内の湯の温度が低下して第１状態では所望の給湯が行えなくなった場合に、第１状態から第３状態へ切り換えるのではなく、第１状態から第２状態に切り換えることにより、貯湯槽内の湯が放熱する前に、貯湯槽内の湯を給湯経路に供給することができる。即ち、貯湯槽内の湯が利用されずに貯湯槽内に残ることを防止することができる。
【０００８】
また、給湯システムは、前記貯湯槽の上部の水の温度を計測するための温度センサをさらに備え、前記給湯システムは、前記給湯システムの状態が前記第１状態である場合において、前記温度センサが第１温度以下の温度を検出する場合に、前記給湯システムの状態を前記第１状態から前記第２状態に変更してもよい。例えば、貯湯槽の上部の水の温度が第１温度以下となる場合に第１状態から第３状態に変更する比較例が想定される。この場合、貯湯槽の上部には、第１温度以下の温度の水が利用されずに貯湯槽内に残る。これに対して、上記の構成によれば、貯湯槽の上部の水が第１温度以下となるものの、貯湯槽の上部の水と第２熱源ユニットによって加熱された水とを混合して給湯経路に供給することができる。例えば、第２熱源ユニットによって加熱される水の温度を調整して、第１温度より高い温度の水を給湯経路に供給することができる。
【０００９】
また、給湯システムは、記貯湯槽の上部の水の温度を計測するための温度センサをさらに備え、前記給湯システムは、前記給湯システムの状態が前記第２状態である場合において、前記温度センサが前記第１温度より低い第２温度以下の温度を検出する場合に、前記給湯システムの状態を前記第２状態から前記第３状態に変更してもよい。例えば、貯湯槽の上部の水の温度が第２温度以下となることは、貯湯槽の上部に第２温度より高い温度の湯が残っていないことを意味する。上記の構成によれば、貯湯槽の上部に第２温度より高い温度の湯が残っていない場合に、第２状態から第３状態に変更して、第２熱源ユニットによって加熱された水のみを給湯経路に供給することができる。
【００１０】
前記給湯システムは、前記給水経路と前記流入経路との分岐点よりも下流側の前記給水経路から分岐して、前記第１接続経路に接続される第２接続経路と、前記第２接続経路に設けられている開閉弁と、をさらに備え、前記給湯システムは、前記給湯システムの状態が前記第１状態である場合に、前記開閉弁を開状態にし、前記給水経路から前記貯湯槽と前記第２接続経路とに水を供給して、前記混合弁の弁開度を調整して、前記貯湯槽の上部の水と前記第２接続経路から前記第１接続経路に供給される水とを混合して前記給湯経路に供給し、前記給湯システムの状態が前記第２状態である場合に、前記開閉弁を閉状態にし、前記給水経路から前記貯湯槽と前記流入経路とに水を供給して、前記混合弁の弁開度を調整して、前記貯湯槽の上部の水と前記第１接続経路内の水とを混合して前記給湯経路に供給してもよい。この構成によれば、第１状態及び第２状態の双方において、同じ混合弁を利用して、給湯経路に供給される水の温度を調整することができる。
【図面の簡単な説明】
【００１１】
【図１】給湯システムの構成を模式的に示す図である。
【図２】給湯システムの給湯処理を示すフローチャートである。
【図３】湯切れ処理を示すフローチャートである。
【図４】ガス熱源ユニットからの水が給湯経路に供給される場合における給湯システム内の水の経路を示す図である。
【図５】ガス熱源ユニットからの水が貯湯槽に供給される場合における給湯システム内の水の経路を示す図である。
【図６】残湯処理を示すフローチャートである。
【図７】貯湯槽からの水とガス熱源ユニットからの水の混合水が給湯経路に供給される場合における給湯システム内の水の経路を示す図である。
【図８】湯はり処理を示すフローチャートである。
【図９】貯湯槽からの水が浴槽に供給される場合における給湯システム内の水の経路を示す図である。
【図１０】ガス熱源ユニットからの水が浴槽に供給される場合における給湯システム内の水の経路を示す図である。
【発明を実施するための形態】
【００１２】
（給湯システム１０；図１）
本実施例の給湯システム１０を、図１を参照して説明する。図１は給湯システム１０の系統図であり、水の流れを矢印で示している。図１に示すように、給湯システム１０は、貯湯ユニット２０と、ヒートポンプユニット５０と、ガス熱源ユニット８０を備えている。給湯システム１０は、給湯栓４８に給湯することと浴槽９４に給湯することが可能である。
【００１３】
（ヒートポンプユニット５０の構成）
ヒートポンプユニット５０は、ポンプ５２と、ヒートポンプ本体５４と、を備える。ポンプ５２は、後述する貯湯槽２２内の水をヒートポンプ本体５４に圧送し、ヒートポンプ本体５４によって加熱された水を貯湯槽２２に送り出す。ヒートポンプ本体５４は、外気と冷媒との間で熱交換を行い、当該冷媒とヒートポンプ本体５４に圧送された水との間で熱交換を行うことで、貯湯槽２２内の水を加熱させる装置である。ヒートポンプ本体５４は、既知のヒートポンプであるので、その説明は省略する。
【００１４】
ヒートポンプユニット５０は、コントローラ５６を備えている。コントローラ５６は、ＣＰＵ、ＲＯＭ、ＲＡＭ等を備えている。コントローラ５６は、ポンプ５２及びヒートポンプ本体５４の動作を制御する。
【００１５】
（貯湯ユニット２０の構成）
貯湯ユニット２０は、貯湯槽２２と、給水経路２４と、給湯経路２６を備えている。貯湯槽２２の下部には、循環往路６０の一端が接続されている。循環往路６０の他端には、ポンプ５２が接続されている。貯湯槽２２の上部には、循環復路６２の一端が接続されている。循環復路６２の他端には、ヒートポンプ本体５４が接続されている。ポンプ５２が駆動すると、貯湯槽２２の下部から循環往路６０に水が送り出され、この水がヒートポンプ本体５４によって加熱され、循環復路６２を通じて貯湯槽２２の上部に戻される。このようにして、貯湯槽２２とヒートポンプユニット５０との間の循環経路が構成されている。この循環が行われることによって、貯湯槽２２では、冷水層（例えば１０℃の層）の上部に高温層（例えば６０℃の層）が積層した温度成層が形成される。
【００１６】
給水経路２４は、貯湯槽２２の下部に接続されている。給水経路２４は、貯湯槽２２に水道水を供給する。また、給湯経路２６は、貯湯槽２２の上部に接続されている。給水経路２４から貯湯槽２２に水道水が供給されることによって、貯湯槽２２内の湯が、給湯経路２６を介して、給湯経路２６の先端に接続されている給湯栓４８に供給される。
【００１７】
給水経路２４からは、第１接続経路としての流入経路３２が分岐している。流入経路３２は、ガス熱源ユニット８０の流入口８０ａに接続されている。給水経路２４と流入経路３２との分岐点には分配弁３４が設けられている。分配弁３４は、貯湯槽２２側が全開である状態（以下では、「貯湯側全開状態」と記載）とガス熱源ユニット８０側が全開である状態（以下で、「ガス側全開状態」と記載）とに切替可能な三方弁である。分配弁３４の弁開度は、リニアに調整可能であってもよい。分配弁３４が貯湯側全開状態では、給水経路２４から流入経路３２への経路が閉鎖され、分配弁３４より下流側の給水経路２４に全開で連通される。分配弁３４がガス側全開状態では、給水経路２４が全開で流入経路３２に連通され、分配弁３４より下流側の給水経路２４への経路が閉鎖される。分配弁３４の半開状態では、給水経路２４が半開で流入経路３２に連通される。これにより、流入経路３２と分配弁３４より下流側の給水経路２４の双方に水が供給される。
【００１８】
給水経路２４と流入経路３２との分岐点よりも下流側の給水経路２４からは、第２接続経路としての給水接続経路３６が分岐している。給水接続経路３６は、ガス熱源ユニット８０の流出口８０ｂから延びている流出経路３８に接続されている。流出経路３８の先端は、給湯経路２６に接続されている。
【００１９】
流出経路３８と給湯経路２６との接続点には、混合弁３０が設けられている。混合弁３０は、弁開度を調整することによって、給水接続経路３６及び流出経路３８から給湯経路２６に供給される水の流量を調整し、給湯経路２６内の湯の温度を調整する。混合弁３０は、全開状態と半開状態と全閉状態とに切替可能である。なお、混合弁３０の弁開度は、リニアに調整可能であってもよい。混合弁３０が全開状態では、流出経路３８が全開で給湯経路２６に連通されるとともに、混合弁３０より上流側の給湯経路２６から混合弁３０より下流側の給湯経路２６への経路が閉鎖される。混合弁３０が全閉状態では、流出経路３８から給湯経路２６への経路が閉鎖され、混合弁３０より上流側の給湯経路２６が全開で混合弁３０より下流側の給湯経路２６に連通される。混合弁３０が半開状態では、流出経路３８が半開で給湯経路２６に連通される。これにより、給水接続経路３６内の水と給湯経路２６内の水が混合される。
【００２０】
流出経路３８には、逆止弁３８ａが設けられている。逆止弁３８ａは、給水接続経路３６から給水接続経路３６と流出経路３８との接続点よりも上流側の流出経路３８への給水を遮断する。
【００２１】
給水接続経路３６には、給水接続経路３６を開閉する給水開閉弁３６ａが設けられている。
【００２２】
混合弁３０より下流側の給湯経路２６からは、流入接続経路７０が分岐している。流入接続経路７０の先端は、流入経路３２に接続されている。流入接続経路７０には、流入接続経路７０を開閉する流入開閉弁７０ａが設けられている。
【００２３】
貯湯槽２２の上部には、貯湯槽２２の上部の水の温度を計測するための温度センサ２２ａが設けられている。給湯経路２６には、混合弁３０より上流側の給湯経路２６内の水の温度を計測するための温度センサ２６ａと、混合弁３０より下流側に給湯栓４８から排出される水の温度を計測するための温度センサ２６ｃが設けられている。また、給湯経路２６には、給湯栓４８から排出される水の毎分の流量を計測するための流量センサ２６ｂが設けられている。
【００２４】
貯湯ユニット２０は、コントローラ４６を備えている。コントローラ４６は、ＣＰＵ、ＲＯＭ、ＲＡＭ等を備えている。コントローラ４６には、各温度センサ２２ａ、２６ａと流量センサ２６ｂから、検出信号が入力される。また、コントローラ４６は、混合弁３０、分配弁３４の動作を制御する。
【００２５】
（ガス熱源ユニット８０の構成）
ガス熱源ユニット８０は、熱交換器８２と、バーナ８４と、を備える。ガス熱源ユニット８０の流入口８０ａから入口経路８６ａが延びており、入口経路８６ａの先端は、熱交換器８２の入口側に接続されている。熱交換器８２の出口側から出口経路８６ｂが延びており、出口経路８６ｂの先端は、ガス熱源ユニット８０の流出口８０ｂに接続されている。バーナ８４はガス燃焼式であって、熱交換器８２を加熱する。
【００２６】
入口経路８６ａには、入口経路８６ａを流れる水の毎分の流量を計測するための流量センサ８６ｃが設けられている。出口経路８６ｂには、出口経路８６ｂ内の水の温度を計測するための温度センサ８６ｄが設けられている。
【００２７】
出口経路８６ｂからは、湯はり経路９２が分岐している。湯はり経路９２の先端は、浴槽９４に開口している。湯はり経路９２には、湯はり経路９２を開閉する湯はり弁９２ａが設けられている。
【００２８】
ガス熱源ユニット８０は、コントローラ８８を備えている。コントローラ８８は、ＣＰＵ、ＲＯＭ、ＲＡＭ等を備えている。コントローラ８８には、流量センサ８６ｃ、温度センサ８６ｄから、検出信号が入力される。コントローラ８８は、流量センサ８６ｃが所定の流量以上の流量を検出する場合に、バーナ８４を燃焼させる。
【００２９】
（リモコン９０に構成）
給湯システム１０は、リモコン９０を備える。リモコン９０は、各コントローラ５６、４６、８８と通信可能である。リモコン９０には、給湯システム１０を操作するためのスイッチやボタン、給湯システム１０の動作状態を表示する液晶表示器等が設けられており、リモコン９０で設定された情報が各コントローラに入力される。利用者は、リモコン９０を利用して、給湯設定温度等を設定することができる。また、各コントローラ４６、５６、８８は、相互に通信可能である。
【００３０】
（給湯処理；図２）
図２を参照して、給湯処理について説明する。なお、給湯処理では、流入開閉弁７０ａと湯はり弁９２ａのいずれも、閉状態である。また、給湯処理では、後述する残湯処理が実行される場合を除いて、給水開閉弁３６ａは開状態である。
【００３１】
コントローラ４６は、貯湯槽２２の上部の水の温度を計測するための温度センサ２２ａが検出する温度（以下、「貯湯温度」と記載）が第１切替温度より高いのか否かを判断する。第１切替温度は、リモコン９０によって設定された給湯設定温度より高い温度であり、給湯設定温度に基づいて決まる温度である。例えば、給湯設定温度が４０℃である場合、第１切替温度は、４２℃である。コントローラ４６は、貯湯温度が第１切替温度より高いと判断する場合（Ｓ１０でＹＥＳ）に、Ｓ１２に進む。
【００３２】
Ｓ１２では、コントローラ４６は、混合弁３０を半開状態に切り替え、分配弁３４を貯湯側全開状態に切り替える。この結果、後述するＳ１４で給湯が開始されると、水道水は、図１の矢印に示すように、給水経路２４を介して、貯湯槽２２に供給されるとともに、給水接続経路３６を介して、給湯経路２６に供給される。そして、給湯経路２６内の水と給水接続経路３６を介して供給される水道水とが混合されて、混合後の水が、給湯経路２６を介して、給湯栓４８に供給される。
【００３３】
Ｓ１４では、コントローラ４６は、給湯が開始されたのか否かを監視する。具体的には、コントローラ４６は、給湯経路２６の流量センサ２６ｂが所定の流量以上の流量を検出する場合に、給湯が開始されたと判断し（Ｓ１４でＹＥＳ）、Ｓ１６に進む。
【００３４】
Ｓ１６では、コントローラ４６は、温度センサ２６ｃの検出値を利用して、給湯栓４８に供給される水の温度が給湯設定温度となるように、混合弁３０の弁開度を調整する。
【００３５】
Ｓ１８は、Ｓ１０と同様である。コントローラ４６は、貯湯温度が第１切替温度以下であると判断する場合（Ｓ１８でＮＯ）に、Ｓ１９において、後述する湯切れ処理（図３参照）を実行する。Ｓ１９の処理が終了すると、Ｓ１０に戻る。
【００３６】
また、コントローラ４６は、貯湯温度が第１切替温度より高いと判断する場合（Ｓ１８でＹＥＳ）に、Ｓ２０において、給湯中であるのか否かを判断する。具体的には、コントローラ４６は、給湯経路２６の流量センサ２６ｂが所定の流量以上の流量を検出する場合に、給湯中であると判断して（Ｓ２０でＹＥＳ）、Ｓ１６に戻る。一方、コントローラ４６は、流量センサ２６ｂが所定の流量より小さい流量を検出する場合に、給湯中でないと判断して（Ｓ２０でＮＯ）、Ｓ１０に戻る。
【００３７】
また、コントローラ４６は、Ｓ１０において、貯湯温度が第１切替温度以下であると判断する場合（Ｓ１０でＮＯ）に、Ｓ１２以降の処理を実行することなく、Ｓ４０に進む。Ｓ４０では、コントローラ４６は、混合弁３０を全開状態（即ち流出経路３８が全開で給湯経路２６に連通される状態）に切り替え、分配弁３４をガス側全開状態に切り替える。この結果、水道水は、図４の矢印に示すように、給水経路２４と流入経路３２を介して、ガス熱源ユニット８０の熱交換器８２に供給される。そして、熱交換器８２によって加熱された水道水は、流出経路３８と混合弁３０より下流側の給湯経路２６を介して、給湯栓４８に供給される。
【００３８】
Ｓ４０が終了すると、Ｓ４２、Ｓ４４に進む。Ｓ４２、Ｓ４４は、Ｓ１４、Ｓ２０と同様である。コントローラ４６は、給湯中でないと判断する場合（Ｓ４４でＮＯ）に、Ｓ１０に戻り、給湯中であると判断する場合（Ｓ４４でＹＥＳ）に、Ｓ４６に進む。
【００３９】
Ｓ４６では、コントローラ４６は、貯湯温度が所定温度域内に含まれるのか否かを判断する。所定温度域は、例えば、３８℃以上４０℃以下の値域である。コントローラ４６は、貯湯温度が所定温度域内に含まれると判断する場合（Ｓ４６でＹＥＳ）に、Ｓ４８において、後述する残湯処理（図６参照）を実行する。Ｓ４８の処理が終了すると、Ｓ１０に戻る。
【００４０】
また、コントローラ４６は、貯湯温度が所定温度域内に含まれないと判断する場合（Ｓ４６でＮＯ）に、Ｓ４４に戻る。即ち、ガス熱源ユニット８０によって加熱される水のみを給湯経路２６に供給する状態を維持する。
【００４１】
（湯切れ処理；図３）
図３を参照して、湯切れ処理について説明する。Ｓ２２では、コントローラ４６は、混合弁３０を全閉状態（即ち流出経路３８から給湯経路２６への経路が閉鎖されている状態）に切り替え、分配弁３４をガス側全開状態に切り替える。この結果、水道水は、図５の矢印に示すように、給水経路２４、流入経路３２、熱交換器８２、流出経路３８、給水接続経路３６、及び、給水経路２４の最下流側の一部を介して、貯湯槽２２に供給される。そして、貯湯槽２２の上部の水が、給湯経路２６を介して、給湯栓４８に供給される。
【００４２】
Ｓ２４では、コントローラ４６は、給湯設定温度と出口経路８６ｂの温度センサ８６ｄが検出する温度（以下、「出口温度」と記載）との差分の絶対値が所定温度（例えば、０．１℃）以下であるのか否かを判断する。コントローラ４６は、給湯設定温度と出口温度との差分の絶対値が所定温度より高いと判断する場合（Ｓ２４でＮＯ）に、Ｓ２６に進む。Ｓ２６は、図２のＳ２０と同様である。コントローラ４６は、給湯中であると判断する場合（Ｓ２６でＹＥＳ）、Ｓ２４に戻る。一方、コントローラ４６は、給湯中でないと判断する場合（Ｓ２６でＮＯ）に、図３の処理を終了する。
【００４３】
コントローラ４６は、給湯設定温度と出口温度との差分の絶対値が所定温度以下であると判断する場合（Ｓ２４でＹＥＳ）に、Ｓ２８に進む。Ｓ２８、Ｓ３０は、図２のＳ４０、Ｓ４４と同様である。コントローラ４６は、給湯中でないと判断する場合（Ｓ３０でＮＯ）に、図３の処理を終了する。
【００４４】
コントローラ４６は、給湯中であると判断する場合（Ｓ３０でＹＥＳ）に、Ｓ３２に進む。Ｓ３２は、図２のＳ４６と同様である。
【００４５】
コントローラ４６は、貯湯温度が所定温度域内に含まれると判断する場合（Ｓ３２でＹＥＳ）に、Ｓ３４において、後述する残湯処理（図６参照）を実行し、貯湯温度が所定温度域内に含まれないと判断する場合（Ｓ３２でＮＯ）に、Ｓ３０に戻る。Ｓ３４の処理が終了すると、図３の処理が終了する。
【００４６】
（残湯処理）
図６を参照して、図２のＳ４８又は図３のＳ３４の残湯処理について説明する。Ｓ５０では、コントローラ４６は、混合弁３０を所定の固定開度に切り替え、分配弁３４を所定の固定開度に切り替え、給水開閉弁３６ａを閉状態にする。この結果、図７の矢印に示すように、給水経路２４内の水が貯湯槽２２に供給され、貯湯槽２２の上部の水が給湯経路２６に供給される。この際、閉状態の給水開閉弁３６ａによって、給水経路２４から給水接続経路３６への給水が遮断される。さらに、給水経路２４内の水が、流入経路３２、熱交換器８２、及び、流出経路３８を介して、給湯経路２６に供給される。従って、貯湯槽２２の上部の水と熱交換器８２によって加熱された水とが混合されて、給湯栓４８に供給される。この際、給湯経路２６内の水の温度が給湯設定温度となるように、バーナ８４の燃量を調整する。
【００４７】
Ｓ５２では、コントローラ４６は、貯湯温度が上記の所定温度域の下限温度（例えば、３８℃）より低くなることを監視する。コントローラ４６は、貯湯温度が下限温度より低くなる場合（Ｓ５２でＹＥＳ）に、Ｓ５４に進む。Ｓ５４は、図２のＳ４０と同様である。即ち、図４の矢印に示すように、ガス熱源ユニット８０によって加熱される水のみが給湯経路２６に供給される状態となる。
【００４８】
Ｓ５６は、図２のＳ４４と同様である。コントローラ４６は、給湯中でないと判断する場合（Ｓ５６でＹＥＳ）に、図６の処理を終了する。
【００４９】
（湯はり処理；図８）
図８を参照して、コントローラ４６によって実行される湯はり処理について説明する。湯はり処理は、リモコン９０の電源がＯＮされることをトリガとして実行される。また、湯はり処理では、給水開閉弁３６ａは開状態である。
【００５０】
Ｓ６０では、コントローラ４６は、リモコン９０の湯はりボタンの選択に応じて、リモコン９０から湯はり指示を受信することを監視する。コントローラ４６は、リモコン９０から湯はり指示が受信される場合（Ｓ６０でＹＥＳ）に、Ｓ６２に進む。
【００５１】
Ｓ６２では、コントローラ４６は、貯湯温度が第２切替温度より高いのか否かを判断する。第２切替温度は、リモコン９０によって設定された湯はり設定温度より高い温度であり、湯はり設定温度に基づいて決まる温度である。例えば、湯はり設定温度が４０℃である場合、第２切替温度は、４２℃である。コントローラ４６は、貯湯温度が第２切替温度より高いと判断する場合（Ｓ６２でＹＥＳ）に、Ｓ６４に進む。
【００５２】
Ｓ６４では、コントローラ４６は、分配弁３４を貯湯側全開状態に切り替え、流入開閉弁７０ａを開状態にし、湯はり弁９２ａを開状態にする。そして、コントローラ４６は、混合弁３０の弁開度を調整する。この結果、水道水は、図９の矢印に示すように、給水経路２４を介して、貯湯槽２２に供給されるとともに、給水接続経路３６を介して、給湯経路２６に供給される。そして、給湯経路２６内の水と給水接続経路３６を介して供給される水道水水道水とが混合されて、混合後の水が、流入接続経路７０、流入経路３２、熱交換器８２、湯はり経路９２を介して、浴槽９４に供給される。
【００５３】
Ｓ６８は、Ｓ６２と同様である。コントローラ４６は、貯湯温度が第２切替温度より高いと判断する場合（Ｓ６８でＹＥＳ）に、Ｓ７０に進む。Ｓ７０では、コントローラ４６は、湯はりが完了したのか否かを判断する。例えば、コントローラ４６は、浴槽９４の水位を計測するためのセンサ（図示省略）の検出値を利用して、浴槽９４の水位が浴槽９４のリモコン９０によって設定された湯はり水位以上となると判断する場合に、湯はりが完了したと判断する。コントローラ４６は、湯はりが完了していないと判断する場合（Ｓ７０でＮＯ）に、Ｓ６８に戻り、湯はりが完了したと判断する場合（Ｓ７０でＹＥＳ）に、Ｓ６０に戻る。
【００５４】
また、コントローラ４６は、貯湯温度が第２切替温度以下であると判断する場合（Ｓ６２でＮＯ、又は、Ｓ６８でＮＯ）に、Ｓ８０に進む。Ｓ８０では、コントローラ４６は、混合弁３０を全閉状態にし、分配弁３４をガス側全開状態に切り替え、流入開閉弁７０ａを閉状態にし、湯はり弁９２ａを開状態にする。この結果、水道水は、図１０の矢印に示すように、給水経路２４と流入経路３２を介して、ガス熱源ユニット８０の熱交換器８２に供給される。そして、熱交換器８２によって加熱された水道水は、湯はり経路９２を介して、浴槽９４に供給される。ここで、ガス熱源ユニット８０のコントローラ８８は、湯はり経路９２内の水の温度が湯はり設定温度となるようにバーナ８４の熱量を調整する。
【００５５】
Ｓ８２は、Ｓ７０と同様である。コントローラ４６は、湯はりが完了したと判断する場合（Ｓ８２でＹＥＳ）に、Ｓ６０に戻る。
【００５６】
（本実施例の効果）
【００５７】
例えば、図２のＳ４８及び図３のＳ３４において図６の残湯処理を実行しない比較例が想定される。この比較例では、貯湯温度が第１切替温度以下である場合（図２のＳ１０でＮＯ、Ｓ１８でＮＯ）に、ガス熱源ユニット８０によって加熱される水のみが給湯経路２６に供給される状態（図４の状態）に変更され、貯湯槽２２の上部に、第１切替温度（例えば４２℃）より低い所定温度域内（例えば３８℃以上４０℃以下）の水が給湯経路２６に供給されないまま長時間に亘って残存する。この場合、所定温度域内の水が利用されないまま自然放熱してしまう。これに対して、本実施例の構成によれば、貯湯槽２２の上部に所定温度域内の水が存在する場合（図２のＳ４６でＹＥＳ、図３のＳ３２でＹＥＳ）に、給湯システム１０は、貯湯槽２２の上部の水と熱交換器８２によって加熱された水とを混合して、給湯栓４８に供給する（図６のＳ５０、図７の状態）。これにより、所定温度域内の水が放熱する前に、所定温度域内の水を利用して、給湯栓４８に給湯設定温度の湯を供給することができる。貯湯槽２２内の水の放熱ロスを削減することができる。
【００５８】
また、例えば、貯湯槽２２の上部の水をガス熱源ユニット８０に供給して、加熱後の水を給湯栓４８に供給する比較例が想定される。この比較例でも、所定温度域内の水が放熱する前に、所定温度域内の水を利用することが可能である。しかし、この場合には、貯湯槽２２の上部の水がガス熱源ユニット８０を通過する必要があり、貯湯槽２２の上部から給湯栓４８までの経路の圧力損失が高くなる。これに対して、本実施例の構成によれば、貯湯槽２２の上部の水は、ガス熱源ユニット８０を通過せずに、給湯栓４８に供給される。この結果、比較例と比べて、貯湯槽２２の上部から給湯栓４８までの経路の圧力損失を低減することができる。
【００５９】
また、上記の比較例では、所定温度域内の水をバーナ８４によって加熱する必要がある。例えば、熱交換器８２が、燃焼ガス中の潜熱を回収する潜熱回収部を備える場合、所定温度域内の水が潜熱を回収する効率は、所定温度域の下限温度未満の冷水が潜熱を回収する効率よりも低くなる。即ち、比較例では、燃焼ガス中の潜熱の回収効率が低い。これに対して、本実施例の構成によれば、熱交換器８２は給水経路２４から供給される冷水を加熱するので、比較例と比べて、燃焼ガス中の潜熱の回収効率が低減することを抑制することができる。
【００６０】
また、例えば、図２のＳ１８を実行することなく、Ｓ１９に代えて、給湯を開始してから所定の時間が経過した場合に、Ｓ４８の残湯処理を実行する比較例が想定される。この比較例では、所定の時間が経過した後に貯湯槽２２の上部に第１切替温度以上の温度の水が残り得る。この比較例では、給湯システム１０は、貯湯槽２２の上部に第１切替温度以上の温度の水が残る場合に、貯湯槽２２の上部の水と流入経路３２と熱交換器８２と流出経路３８を介して供給される水とを混合して、給湯設定温度の水を給湯栓４８に供給する。即ち、図１の状態で給湯設定温度の水を給湯栓４８に供給可能であるにも関わらず、図７の状態で給湯設定温度の水を給湯栓４８に供給することとなる。図７の状態では、流入経路３２と熱交換器８２と流出経路３８を介して混合弁３０に水が供給されるので、図１の状態と比較して、給水経路２４と混合弁３０との間の経路の圧力損失が大きい。これに対して、本実施例の構成によれば、貯湯槽２２の上部の水が第１切替温度以下となる場合（図２のＳ１８でＮＯ）に、Ｓ４８の残湯処理を実行する。即ち、図１の状態で給湯設定温度の水を給湯栓４８に供給不可能となる場合に、図７の状態で給湯設定温度の水を給湯栓４８に供給することができる。なお、変形例として上記の比較例を採用してもよい。
【００６１】
また、給湯システム１０は、貯湯温度が上記の所定温度域の下限温度より低くなる場合（Ｓ５２でＹＥＳ）に、貯湯槽２２の上部の水とガス熱源ユニット８０によって加熱された水とを混合する図７の状態からガス熱源ユニット８０によって加熱された水道水のみを供給する図４の状態に変更する。即ち、貯湯槽２２の上部に下限温度より高い温度の湯が残っていない場合に、図７の状態から図４の状態に変更して、ガス熱源ユニット８０によって加熱された水のみを給湯経路に供給することができる。
【００６２】
また、給湯システム１０は、混合弁３０の弁開度を調整し、分配弁３４を貯湯側全開状態にすることで、給水経路２４内の水と貯湯槽２２の上部の水とを混合して給湯経路２６に供給することができる（図２のＳ１６、図１の状態）。さらに、図６のＳ５０の処理（即ち図７の状態）は、混合弁３０及び分配弁３４を固定開度に調整することによって実現される。即ち、図１の状態を実現するための混合弁３０を流用して、図７の状態を実現することができる。
【００６３】
また、給湯システム１０は、貯湯温度が第１切替温度以下となる場合（図２のＳ１８でＮＯ）に、図６の残湯処理を実行する前に、混合弁３０を全閉状態に切り替えるとともに、分配弁３４をガス側全開状態に切り替えて（図３のＳ２２）、図５の矢印が示すように、給水経路２４、流入経路３２、熱交換器８２、流出経路３８、給水接続経路３６、及び、給水経路２４の最下流側の一部を介して、貯湯槽２２に水を供給する。この結果、図１の状態において流出経路３８内に存在していた冷水は、貯湯槽２２に供給され、給湯経路２６に直接供給されることを防止することができる。また、給湯経路２６内の水が第１切替温度以下となり、給湯設定温度以下の水が給湯栓４８に供給される可能性があるものの、流出経路３８内の冷水は貯湯槽２２に供給されるので、給湯栓４８を利用するユーザは流出経路３８内の冷水との混合水に触れることはない。ユーザの不快感を軽減することができる。そして、給湯システム１０は、図５の状態の後に、給湯設定温度と出口温度との差分の絶対値が所定温度以下であると判断する場合（Ｓ２４でＹＥＳ）に、図６の残湯処理を実行する（Ｓ３４）。即ち、残湯処理を実行する前に、流出経路３８内に存在していた冷水が給湯経路２６に直接供給されることを防止することができる。
【００６４】
また、給湯システム１０は、混合弁３０の弁開度を調整することで、給水経路２４内の水と貯湯槽２２の上部の水とを混合して給湯経路２６に供給することができる（図２のＳ１６、図１の状態）。さらに、図３のＳ２２の処理は、混合弁３０を全閉状態にすることによって実現される。即ち、図１の状態を実現するための混合弁３０を流用して、図５の状態を実現することができる。
【００６５】
（対応関係）
貯湯ユニット２０、ヒートポンプユニット５０、ガス熱源ユニット８０、貯湯槽２２が、それぞれ、「貯湯ユニット」、「第１熱源ユニット」、「第２熱源ユニット」、「貯湯槽」の一例である。給水経路２４、給湯経路２６、流入経路３２、流出経路３８、給水接続経路３６が、それぞれ、「給水経路」、「給湯経路」、「流入経路」、「第１接続経路」、「第２接続経路」の一例である。混合弁３０、給水開閉弁３６ａが、「混合弁」、「開閉弁」の一例である。図２のＳ１２の各弁の状態、図６のＳ５０の各弁の状態、図２のＳ５４の各弁の状態が、それぞれ、「第１状態」、「第２状態」、「第３状態」の一例である。温度センサ２２ａ、第１切替温度、下限温度が、それぞれ、「温度センサ」、「第１温度」、「第２温度」の一例である。
【００６６】
以上、各実施例について詳細に説明したが、これらは例示に過ぎず、特許請求の範囲を限定するものではない。特許請求の範囲に記載の技術には、以上に例示した具体例を様々に変形、変更したものが含まれる。上記の各実施例の変形例を以下に列挙する。
【００６７】
上記の実施例では、コントローラ４６は、温度センサ２２ａが検出する温度が第１切替温度以下である場合（図２のＳ１８でＮＯ）に、残湯処理（図６参照）を実行する。これに代えて、コントローラ４６は、混合弁３０より上流側の給湯経路２６内の水の温度を計測するための温度センサ２６ａが検出する温度が第１切替温度以下である場合に、残湯処理を実行してもよい。本変形例では、温度センサ２６ａが、「温度センサ」の一例である。また、実施例の給湯システム１０は、温度センサ２２ａと温度センサ２６ａを備えるが、これに代えて、温度センサ２２ａと温度センサ２６ａのうちの一方を備えていてもよい。
【００６８】
上記の実施例では、図２のＳ４８と図３のＳ３４の双方において残湯処理が実行される。これに代えて、図２のＳ４８と図３のＳ３４のいずれか一方において残湯処理が実行されてもよい。例えば、図２のＳ４８のみで残湯処理が実行されてもよい。一般的に言えば、給湯システムは、給湯システムの状態を第１状態及び第３状態のいずれかから第２状態に変更する。
【００６９】
上記の実施例では、コントローラ４６は、貯湯温度が下限温度より低くなる場合（Ｓ５２でＹＥＳ）に、Ｓ５４の処理を実行して、給湯システムの状態を切り替える。これに代えて、コントローラ４６は、Ｓ５０の処理を実行してから所定の時間が経過する場合に、Ｓ５４の処理を実行してもよいし、給湯中でないと判断されるまで、Ｓ５０の処理の実行を維持してもよい。本変形例では、「第２温度」を省略可能である。
【００７０】
上記の実施例では、給湯システム１０は、給水接続経路３６と給水開閉弁３６ａを備える。これに代えて、給湯システム１０は、給水接続経路３６と給水開閉弁３６ａを備えず、給水経路２４と流入経路３２との分岐点より上流側の給湯経路から分岐する特定の接続経路を備えていてもよい。特定の接続経路は、給湯経路２６に接続されていてもよい。そして、特定の接続経路と給湯経路２６との接続点に混合弁３０とは異なる他の混合弁が設けられてもよい。本変形例では、「第２接続経路」と「開閉弁」を省略可能である。
【００７１】
給湯システム１０は、分配弁３４に代えて、流入経路３２と、流入経路３２との分岐点よりも上流側の給水経路２４のそれぞれに設けられる流量調整弁を備えてもよい。
【００７２】
図２のＳ２２〜Ｓ２６の処理は実行されなくてもよい。即ち、給湯システムの状態は、図５の状態に変更されなくてもよい。
【符号の説明】
【００７３】
１０：給湯システム、２０：貯湯ユニット、２２：貯湯槽、２２ａ：温度センサ、２４：給水経路、２６：給湯経路、２６ａ：温度センサ、２６ｂ：流量センサ、２６ｃ：温度センサ、３０：混合弁、３２：流入経路、３４：分配弁、３６：給水接続経路、３６ａ：給水開閉弁、３８：流出経路、３８ａ：逆止弁、４６：コントローラ、４８：給湯栓、５０：ヒートポンプユニット、５２：ポンプ、５４：ヒートポンプ本体、５６：コントローラ、６０：循環往路、６２：循環復路、７０：流入接続経路、７０ａ：流入開閉弁、８０：ガス熱源ユニット、８０ａ：流入口、８０ｂ：流出口、８２：熱交換器、８４：バーナ、８６ａ：入口経路、８６ｂ：出口経路、８６ｃ：流量センサ、８６ｄ：温度センサ、８８：コントローラ、９０：リモコン、９２：経路、９２ａ：弁、９４：浴槽
【図１】
2020115051.tif 000003
【図２】
2020115051.tif 000004
【図３】
2020115051.tif 000005
【図４】
2020115051.tif 000006
【図５】
2020115051.tif 000007
【図６】
2020115051.tif 000008
【図７】
2020115051.tif 000009
【図８】
2020115051.tif 000010
【図９】
2020115051.tif 000011
【図１０】
2020115051.tif 000012